【事件の表示】
　平成８年特許願第３２２０５号「現像装置」拒絶査定に対する審判事件（平成８年９月１３日出願公開、特開平８−２３４５５７）について、次のとおり審決する。
【結論】
　本件審判の請求は、成り立たない。
【理由】
Ｉ．手続の経緯・本願発明の要旨
　本件出願は、昭和６０年１０月２３日に出願した特願昭６０−２３６９７９号の一部を平成８年２月２０日に新たな特許出願としたものであって、その発明の要旨は、明細書及び図面の記載からみて、特許請求の範囲に記載されたとおりの、
「静電潜像が表面に形成される潜像担持体に対向して配置され、その対向部で該潜像担持体にトナーを供給する現像ローラと、上記現像ローラの周面に当接して配置され、上記現像ローラとの当接部においてその周面が相対的に移動する導電性のトナー補給ローラと、上記現像ローラと上記トナー補給ローラとの間に電圧を印加するための電源であって、上記現像ローラの電圧をＶＢ、上記トナー補給ローラの電圧をＶＲとしたとき、上記トナーが正帯電性である場合にはＶＢ＜ＶＲに、上記トナーが負帯電性である場合にはＶＢ＞ＶＲにそれぞれ設定する電源と、上記現像ローラの回転方向において上記トナー補給ローラよりも下流側であって、上記対向部と上記トナー補給ローラとの間に配置され、上記ＶＢとＶＲとの電位差により生じる電気的な力により上記トナー補給ローラから上記現像ローラに過剰に供給されたトナーを現像ローラ上で薄層化するとともに、薄層化されたトナーの帯電を均一化する摩擦帯電手段と、上記トナー補給ローラに対してトナーを供給する現像剤搬送手段とを具備し、上記トナー補給ローラと上記現像ローラとの当接部よりも上記トナー補給ローラの回転方向上流部位であって、上記トナー補給ローラの周面に上記現像剤搬送手段によりトナーが供給されるトナー供給部位から上記当接部までの間には、上記トナー補給ローラ上のトナー量を規制する部材を具備していない現像装置。」
　にあるものと認める。
ＩＩ．当審の拒絶理由
　これに対して、平成９年９月１０日付けで通知した拒絶の理由１の概要は、本件出願の発明は、その出願前に国内において頒布された刊行物である特開昭５８−２２３１５８号公報（以下、「引用例１」という。）、特開昭５８−１４４８６１号公報（以下、「引用例２」という。）、特開昭５９−１２１３４７号公報（以下、「引用例３」という。）に記載された発明に基づいて、その出願前にその発明の属する技術の分野における通常の知識を有する者が、容易に発明をすることができたものと認められるから、特許法第２９条第２項の規定により特許を受けることができないというものである。
ＩＩＩ．引用例
　引用例１の記載事項：
「本発明は電子写真・静電記録…（中略）…等の手法により潜像担持体面に形成した電気的潜像（静電潜像・電位潜像…（中略）…）を乾式粉体現像する装置に係り、特に現像剤として所謂一成現像剤を用いる方式（一成分現像方式）の現像装置に関する。…（中略）…この一成分現像方式は、従来から一般に利用されているトナーとキヤリアから構成された所謂二成分現像剤を用いる現像方式に比べて、攪拌機構がいらない、現像剤の濃度測定が必要ない等のため、装置を小型・軽量化することができるばかりでなく、現像剤の劣化も発生しないという種々の大きな利点がある。一成分現像方式に使用する現像剤には（Ｉ）…（中略）…磁性一成分現像剤（ＩＩ）樹脂成分のみから作られた非磁性一成分現像剤の２種がある。上記（Ｉ）の磁性一成分現像剤の場合は…（中略）…現像剤担持部材面の近傍に現像剤を供給してやれば現像剤は該部材面に磁気吸引力により容易に層状に付着して保持される。従つて該部材に対する現像剤の供給方向には自由度があり、例えばローラ形の現像剤担持部材に対してそのローラの上からでも、横からでも、あるいは下からでも現像剤を供給して層状に付着保持させることができ、現像装置自体の設計、複写機内での配置設計に融通性（設計自由度）がある。しかしその反面、…（中略）…カラー画像用の純粋なシアン、マゼンタ、イエローの各色現像剤を作ることはできない。また、…（中略）…オリジナルの完全な色再現を期待することはできない。（ＩＩ）の非磁性一成分現像剤の場合は上記とは逆に現像剤が樹脂成分のみからできているので、カラー画像用の純粋なシアン、マゼンタ、イエローの各色現像剤を作り易い利点がある。しかし、現像剤担持部材面に対する現像剤薄層の形成・保持は前記磁性一成分現像剤のように磁気吸引力で行うことはできず、この場合は現像剤担持部材面に対して現像剤を常に略一定の押圧力状態で接触させて供給することにより現像剤担持部材面に現像材の薄層を摩擦帯電によるクーロン力あるいはフアンデルワールス力等の相互作用により現像剤を現像ローラ表面に付着・保持させる形態が採られる。このため現像材担持部材面に対する現像剤の供給方向がある程度制限され、かつ供給方法に若干の工夫が必要である。従つて現像装置自体の設計、複写機内での配置設計等の自由度はそれだけ狭いものとなる。本発明は上記後者のカラー画像現像剤を作り易い利点を有する非磁性一成分現像剤を使用する現像装置について、現像剤担持部材面に対する該現像剤の供給を、前者の磁性一成分現像剤の場合と略同様に任意の方向から支障なく供給できるように工夫して装置設計・配置設計の自由度を大きくすることを目的とする。即ち、現像剤担持部材に開口部を対向させて弾性薄膜からなる現像剤収納袋を配設し、その袋内に現像剤を袋の弾性に抗して詰めて収納し、その袋内の現像剤を袋の収縮力で現像剤担持部材面に押圧接触させて供給することを特徴とする現像装置を要旨とする。」（第１頁下左欄第１６行〜第２頁下左欄第１８行）、
「第１図に於て、１は潜像担持体としてのドラム型の電子写真感光体で、…（中略）…ドラム１の回りには潜像形成プロセス機器、転写装置、クリーニング装置等が配設される…（中略）…該ドラム１は矢示の時計方向に回転駆動され潜像形成プロセス機器の作用でその周面に順次に静電潜像が形成される。４は上記ドラム１面に形成された潜像を可視化する本発明に従う現像装置である。…（中略）…５は…（中略）…現像剤担持部材としての現像ローラである。この現像ローラ５はドラム１と略同長の長さ寸法を有し、両端部に於て回転自由に軸受支持させてあり、矢示の反時計方向に回転駆動される（駆動機構は図に省略）。ローラ材質は金属・樹脂・セラミツク等の材料で、ローラ表面はトナーの付着を助長するため、数μｍ程度の小さな凹凸が無数に設けてある。６は上記現像ローラ５の右下側に開口部６１をローラ５に対向させて配設した、ゴム膜など伸縮弾性に富み強靭な弾性薄膜製の現像剤収納袋で、現像ローラ５と略同長の長さ寸法を有する横長の袋である。…（中略）…８は現像ローラ５の右斜め下側面位置に現像ローラ面に接触させて、又袋６に収納したトナー７の溜り内に入り込ませて配設した塗布ローラである。この塗布ローラはスポンジ、ゴム等の弾性ローラで現像ローラ５と略同長の長さ寸法を有し、現像ローラ５と並行にして両端部を回転自由に軸受保持させてあり、矢示の反時計方向に回転駆動される（駆動機構は図に省略）。９は現像ローラ５の右半面の略中央部に先端部を接触させて配設した摩擦帯電部材で、現像ローラ５と略同長の長さ寸法を有する。１３はその摩擦帯電部材の取付け保持板である。…（中略）…該現像装置は潜像担持体たるドラム１に対してハウジング１０の窓孔部１０１から外部に露出している現像ローラ５をドラム１に並行に且つ僅少な隙間ｄを存して接近させた状態にして配置される。而してトナー７を収納した弾性膜袋６は弾性収縮力によりトナー７を常に袋開口部６１に対向する現像ローラ５面及び塗布ローラ８面に押圧接触させる力を発生する。現像のため現像ローラ５及び塗布ローラ８が夫々矢示方向に駆動されると、塗布ローラ８の回転により該ローラ近傍のトナーが摩擦帯電され、その帯電トナーが現像ローラ５面に塗布付着される。又該塗布ローラ８と摩擦帯電部材９間に於てトナーがローラ５面に袋６の弾性収縮力に基づくトナー押圧接触力で塗布付着する。次いでそのローラ５の塗布トナー層は次位の摩擦帯電部材９位置を通過する過程で過剰な付着トナー分が掻き落されて薄層に整層化されると共に、該部材９との摩擦で帯電量が増加する。部材９で落された過剰トナー分は袋６内に落下して戻る。上記摩擦帯電部材９位置を通過して薄層に整層化され又帯電量の増された現像ローラ５上のトナー整層７１は引続くローラ５の回転に伴ない被現像部材たるドラム１側に回動され、ドラム１との最接近部（現像部Ａ）に於てトナー整層７１のトナーがドラム１面側へ電気的引力で潜像パターンに対応して選択的に移行付着してドラム１面の潜像の可視化がなされる。現像に供されなかったトナー層７２は引続くローラ５の回転で現像剤収納袋６側に戻り、ローラ５と接触していて接触部に於て面移動方向が逆である塗布ローラ８の摺接力で一旦���像ローラ面から母線方向各部全て掻き落される。引続いてその現像ローラ面にあらためて塗布ローラ８で母線方向各部にトナーが塗布され、又該塗布ローラ８と摩擦帯電部材９間に於てトナーがローラ５面に袋６の弾性収縮力に基づくトナー押圧接触力で塗布付着する。そしてその塗布トナー層が部材９で整層化され現像部Ａへ回り込むサイクルが連続的に行なわれてドラム１面の連続的な現像処理がなされる。尚上記の塗布ローラ８による現像ローラ５面からの残留トナー層７２の掻き落しにより所謂メモリ或はゴースト像発生現象が掻き消される。袋６内のトナーは現像に供されることにより逐次消費され減少する。そのトナーの消費減少に伴ない袋６は逐次収縮していく。その結果、袋６内のトナーの消費減少過程に於て袋の弾性収縮力に基づく袋内トナーの袋開口部６１に於ける現像ローラ５面及び塗布ローラ８面に対する押圧接触力は常に略一定圧力に保持される。」（第２頁下右欄第１行〜第４頁上左欄第７行）、および、
「以上本発明は現像剤担持部材５…（中略）…に対する乾式一成分現像剤７を供給する手段として現像剤担持部材５…（中略）…に開口部６１を対向させて弾性薄膜からなる現像剤収納袋６を配設し、その袋内に現像剤７を袋の弾性に抗して詰めて収納し、その袋内の現像剤７を袋６の収縮力で現像剤担持部材面に押圧接触させて供給するようにしたから、現像剤の消費減少過程中常に現像剤を現像剤担持部材５…（中略）…面に略一定の押圧力で接触させて供給した状態にすることができる。…（中略）…また、トナーに常に一定の押圧力を加えているので、トナーの補給を妨げる架橋現象は発生しない。」（第４頁上右欄第１６行〜下左欄第１４行）が図面とともに記載されている。
　そして、これらの記載のうち、上記現像剤収納袋６が現像剤担持部材５に対する乾式一成分現像剤７を供給する手段である旨の記載、その袋内の現像剤７を袋６の収縮力で現像剤担持部材面に押圧接触させて供給するようにしたから、現像剤の消費減少過程中常に現像剤を現像剤担持部材５面に略一定の押圧力で接触させて供給した状態にすることができる旨の記載、及び、上記弾性膜袋６の弾性収縮力によりトナーを押圧接触させる対象面として現像ローラ５面とともに塗布ローラ８面が記載されていることから、上記現像剤収納袋６は、塗布ローラ８に対してトナーを供給する現像剤搬送手段であるということができる。
　また、「上記の塗布ローラ８による現像ローラ５面からの残留トナー層７２の掻き落しにより所謂メモリ或はゴースト像発生現象が掻き消される」が記載されていることから、「現像に供されなかったトナー層７２を塗布ローラ８の摺接力で一旦現像ローラ面から母線方向各部全て掻き落とす」のは、「現像ローラの次のサイクル時に所謂メモリ或いはゴースト像が残ることを防止する」ことを目的としているものと認められる。
　更に、第２図の記載から「塗布ローラ８と現像ローラ５との接触部よりも上記塗布ローラの回転方向上流部位であって、上記塗布ローラの周面に現像剤収納袋６によりトナーが供給されるトナー供給部位から上記接触部までの間には、上記塗布ローラ上のトナー量を規制する部材を具備していない」事項、及び「摩擦帯電部材９が現像ローラ５の回転方向において塗布ローラ８よりも下流側であって、潜像担持体１と現像ローラ５との対向部と上記塗布ローラ８との間に配置されている」事項が把握できる。
　以上のことから、引用例１には、「現像剤担持部材面に対する該現像剤の供給を、任意の方向からできるようにする」目的に加え、「現像ローラの次のサイクル時に、所謂メモリ或いはゴースト像が残ることを防止する」目的を有する発明であって、「静電潜像が表面に形成される潜像担持体１に対向して配置され、その対向部で該潜像担持体にトナーを供給する現像ローラ５と、上記現像ローラの周面に接触させて配設され、上記現像ローラとの接触部においてその周面が反対方向に移動するローラであって、現像に供されなかったトナー層７２を一旦現像ローラ５面から母線方向各部全て掻き落とすとともに、袋６の弾性収縮力に基づく現像ローラ５面に対するトナー押圧接触力による塗布付着と合わせて過剰なトナーを現像ローラ５面に付着させる塗布ローラ８と、上記現像ローラの回転方向において上記塗布ローラよりも下流側であって、上記対向部と上記塗布ローラとの間に配置され、袋６の弾性収縮力に基づく現像ローラ５面に対するトナー押圧接触力による上記塗布付着及び上記塗布ローラによる塗布により上記現像ローラに供給された過剰な付着トナー分を現像ローラ上で掻き落して薄層に整層化するとともに、整層化されたトナーとの摩擦でトナーの帯電量を増加する摩擦帯電部材９と、上記塗布ローラに対してトナーを供給する現像剤搬送手段とを具備し、上記塗布ローラと上記現像ローラとの接触部よりも上記塗布ローラの回転方向上流部位であって、上記塗布ローラの周面に上記現像剤搬送手段によりトーが供給されるトナー供給部位から上記接触部までの間には、上記塗布ローラ上のトナー量を規制する部材を具備していない現像装置４。」の発明が記載されていると認められる。
　引用例２の記載事項：
「第１図は従来のトナー補給機構を装備した乾式現像装置の一例を示し、これを説明すると、…（中略）…現像ローラ（１）の回転で感光体（１０）から離れた外周面上の現像剤（５）は掻落し板（４）で現像ローラ（１）から掻き取られて攪拌羽根（３）まで落下する。一方、現像に供されて消耗したトナー量に見合う量のトナー（８）がトナー定量供給ローラ（９）の回転で攪拌羽根（３）上に落下供給される。攪拌羽根（３）は掻落し板（４）からのトナー濃度の低下した現像剤（５’）とトナー容器（７）からの補給トナー（８）とを攪拌して、トナー濃度が２〜５重量％の所望の現像剤（５）を準備する。攪拌された現像剤（５）は汲上ローラ（２）を介して現像ローラ（１）まで供給され、再度現像に使用される。このように従来のトナー補給機構は現像ローラから現像剤を掻き取り、これに補給トナーを混合攪拌して再度現像ローラに供給する構造のため、現像剤の掻き取り手段や攪拌手段、補給用トナーの定量供給手段を必要として全体の構造が複雑且つ大型化する傾向にあった。また補給用トナーをトナー定量供給ローラで定量ずつ落下供給しているが、トナーは流動性が悪いためにトナー定量供給ローラに一部が詰まって落下しないことがあり、そのため定量供給が難しくて信頼性に欠ける問題点があった。本発明はかかる従来の問題点に鑑みてなされたもので、補給用トナーを現像ローラに直接に、且つ静電転送方式で確実に必要量だけを供給するトナー補給装置を提供する。本発明の１つの特徴は現像ローラを内蔵する現像器内に少なくとも補給用トナーを収容するトナー容器と、トナー容器内のトナーを現像ローラに直接に補給するためのトナー転送ローラを配備するだけでよい構造にある。従ってトナー補給機構を含む現像装置全体の構造が大幅に簡略化できる。また本発明の他の特徴は前記トナー転送ローラをその外周面にトナーが静電吸着されるものを使用し、トナー転送ローラと現像ローラ間のトナー移動方向及び量を両者ローラに各々印加した電圧の差で制御することである。」（第１頁下右欄第２０行〜第２頁下左欄第１０行）、
「第２図は上面フラツトな背面電極（１１）上の静電記録紙（１２）の静電潜像を現像する現像装に本発明を適用した実施例を示すもので、（１３）は現像器、（１４）は現像器（１３）の下端部に一部を突出させて内蔵された現像ローラ、（１５）は現像器（１３）の上部に装着されたトナー容器、（１６）はトナー容器（１５）のトナー供給口（１７）に回転自在に配置されたトナー転送ローラである。現像ローラ（１４）は回転スリーブ（１８）と、…（中略）…永久磁石（１９）で構成された一般的なものが使用され、回転スリーブ（１８）の外周面上に現像剤（２０）が磁気ブラシを形成して付着する。この磁気ブラシは現像剤（２０）中のキヤリアで形成され、キヤリアによる磁気ブラシにトナーが付着し、記録紙（１２）の現像はトナーだけで行われてキヤリアは磁気ブラシを形成したまま回転スリーブ（１８）上に残る。前記トナー転送ローラ（１６）は導電体からなる回転ローラ（２１）の外周面に誘電体層（２２）を数１０μ〜数１００μの厚さで一体に被着形成した構造で、このトナー転送ローラ（１６）をトナー容器（１５）内の補給トナー（２３）の中で回転させ、一方で電圧を印加すると外周面上にトナー（２３）が静電吸着される。トナー転送ローラ（１６）と現像ローラ（１４）の間隔は少なくとも現像ローラ（１４）上の磁気ブラシの穂先がトナー転送ローラ（１６）に接するだけの大きさを必要とし、望ましくは磁気ブラシの穂高の半分程度の大きさに設定する。また、第２図の（２４）は現像ローラ（１４）に現像バイアス電圧ＶＢを、トナー転送ローラ（１６）にトナー転送電圧ＶＴを印加する電源回路で、例えば補給用トナー（２３）に正極性のものを使用する場合はＶＢとＶＴを零ボルトからマイナスの範囲で制御する。一方現像バイアス電圧ＶＢは記録紙（１２）の静電潜像の現像の際に、静電潜像以外のところにトナーが付着するのを防止する公知の制御電圧で、例えば−１００ボルトに保持される。他方のトナー転送電圧ＶＴはＶＢ＝一定に対して零ボルトからマイナスの範囲で変化する可変制御電圧である。（２５）は現像ローラ（１４）の近くに配置したトナー濃度センサで、現像ローラ（１４）上の現像剤（２０）のトナー濃度を磁気的或は光学的等の手段で検知して電気信号で出力する。（２６）はトナー濃度センサ（２５）の出力でトナー転送電圧ＶＴの大きさを制御するトナー濃度判別制御回路である。また（２７）は現像ローラ（１４）上の磁気ブラシの穂高を規制するブレード、（２８）はトナー転送ローラ（１６）上のトナー付着層厚を規制するブレードである。次に上記装置による現像及びトナー補給動作を説明する。現像は回転する現像ローラ（１４）を記録紙（１２）上に走行させて行われる。この現像で消費されたトナー量はトナー濃度センサ（２５）で検知され、消費されたトナー量に応じた大きさの出力電圧ＶＸがトナー濃度判別制御回路（２６）に送られる。いま出力電圧ＶＸが第３図の曲線に示すように変化して、時間ｔ１でトナー濃度が２重量％の下限値を示す下限電圧Ｖ１になると、この電圧Ｖ１の出力信号でもつてトナー転送ローラ（１６）を回転させ、且つ印加電圧ＶＴを−１００ボルトから例えば−７０ボルトに変える。するとト��ー転送ローラ（１６）上に付着した正極性のトナー（２３）は−１００ボルト印加の現像ローラ（１４）上に移り、トナー補給が行われる。このトナー補給量はＶＴとＶＢの差が大きい程に多くなり、また回転数が増大する程に増える。またトナー補給はＶＴとＶＢの差による静電的吸着手段で行われるので動作が確実であり、補給量の制御も容易である。トナー補給が続行され、現像ローラ（１４）上のトナー濃度が５重量％の上限値になってトナー濃度センサ（２５）の出力電圧ＶＸが上限のＶ２になると、トナー転送電圧ＶＴを−１００ボルトに戻し、トナー転送ローラ（１６）の回転を止める。」（第２頁下右欄第１行〜第３頁下左欄第１２行）、および、
「尚、本発明は上記実施例に限らず、例えば現像ローラの現像バイアス電圧を可変にして、これとトナー転送電圧の差でもつてトナーの両ローラ間の移動を制御することも可能である。…（中略）…更に本発明は第１図に示したようなドラム状感光体の現像に使用される現像装置のトナー補給にも適用できる。又、トナーは負極性のものを使用してもよく、この場合は前述説明のマイナス表示が全てプラス表示と逆になる。…（中略）…またトナー転送ローラから現像ローラヘのトナーの供給が両ローラ間に印加する電圧で自在に、迅速かつ正確に制御できる。」（第３頁下右欄第２行〜第４頁上左欄第１行）が図面とともに記載されており、その図面の第２図の記載から、現像ローラ１４（回転スリーブ１８）が第２図において反時計方向に回転する事項、現像ローラの回転方向においてトナー転送ローラ（１６）よりも下流側であって、現像ローラが静電記録紙（１２）に対向する対向部とトナー転送ローラとの間にブレード（２７）が配置されている事項、トナー転送ローラの回転方向は第２図において時計方向である事項が把握される。
　また、「出力電圧が第３図の曲線に示すように変化して、…（中略）…下限値を示す下限電圧Ｖ１になると、この電圧Ｖ１の出力信号でもってトナー転送ローラを回転させ、…（中略）…出力電圧ＶＸが上限のＶ２になると、…（中略）…トナー転送ローラ（１６）の回転を止める。」と記載されていることから、現像ローラが回転しながら静電記録紙の静電潜像を現像している間に、トナー転送ローラは回転を始めたり止めたりするのであるから、「現像ローラの磁気ブラシに接する領域においてトナー転送ローラの周面は相対的に移動する」ものといえる。
　以上の記載から、引用例２には「回転スリーブ（１８）と永久磁石（１９）で構成され、外周面上にトナーを付着したキヤリアで磁気ブラシを形成し、静電記録紙（１２）に対向して配置され、その対向部で該静電記録紙にトナーを供給する現像ローラ（１４）と、上記現像ローラの外周面の磁気ブラシに接するように配置され、上記現像ローラの外周面の磁気ブラシに接する領域においてその周面が相対的に移動する、導電体からなる回転ローラの外周面に誘電体層を被着形成した構造のトナー転送ローラ（１６）と、上記現像ローラと上記トナー転送ローラの両ローラに各々印加した電圧の間に差が生じるように両ローラに電圧を印加するための電源回路であって、上記現像ローラに印加する現像バイアス電圧をＶＢ、上記トナー転送ローラに印加するトナー転送電圧をＶＴとしたとき、上記トナーが正極性である場合には例えばＶＢ＝−１００ボルト、ＶＴ＝−７０ボルトに、上記トナーが負極性である場合には例えばＶＢ＝＋１００ボルト、ＶＴ＝＋７０ボルトになるように、ＶＢ及びＶＴをそれぞれ設定する電源回路（２４）と、上記現像ローラの回転方向において上記トナー転送ローラよりも下流側であって、上記対向部と上記トナー転送ローラとの間に配置され、上記ＶＢとＶＴとの電圧の差により生じる電気的な吸着力により上記トナー転送ローラから上記現像ローラに補給されたトナーが付着したキャリアで現像ローラ上に形成された磁気ブラシの穂高を規制するブレード（２７）とを具備した乾式現像装置」の発明が記載されていると認められる。
　また引用例２には、トナー補給をＶＴとＶＢの差による静電的吸着手段で行うので、動作が確実であり、補給量の制御も容易である旨も記載されている。
　更に、引用例２に記載の上記発明は、ＶＢとＶＴとの電圧の差により生じる電気的な吸着力により上記トナー転送ローラから上記現像ローラにトナーを補給するので、引用例１に記載の「現像剤担持部材面に対して現像剤を常に略一定の押圧力状態で接触させて供給することにより…（中略）…現像剤を現像ローラ表面に付着・保持させる形態」のもののように現像剤担持部材面に対する現像剤の供給方向が制限されることがなく、現像剤担持部材面に対する現像剤の供給を任意の方向からできることが把握できる。
引用例３の記載事項：
「乾式複写機等の現像装置にあっては、…（中略）…近年感光体上に同時に複数色のトナーを重ね現像し、カラー複写画像を得るという、カラー複写機の普及に伴い、現像時現像剤が静電潜像と摺接されない、非接触タイプの現像装置が開発されている。即ちこの装置は、周囲に絶縁層あるいは抵抗層が被覆され、静電潜像に近接対向される現像ローラを用い、その表面にキヤリア及びトナーからなる二成分現像剤のうちのトナーのみを、磁気ブラシを用いて付着させた後、この現像ローラ上のトナーを静電的に静電潜像に吸着させて非接触現像を行なうものである。しかしながらこの装置は、…（中略）…次の様な欠点も有している。即ち現像ローラはその構造上磁気ブラシからのトナー受給量が充分でなく、前のサイクルでのトナー消費分を補給出来ず、画像濃度が低下され、更には現像時前のサイクルの画像が白いパターンとして生じるという、トナー供給面での欠点を有している。…（中略）…この発明は上記事情にもとづいてなされたもので、…（中略）…現像ローラ上のトナー受給量を向上させ、画像濃度の向上を図る事が出来る現像装置を提供する事を目的とする。…（中略）…この発明は、キャリアの粒径を静電潜像及び現像ローラ間の間隙よりも小さくなるよう形成する事により画質向上及び感光体の損傷防止を図るものである。」（第１頁下右欄第３行〜第２頁上右欄第１５行）、
「現像ローラ（１２）及び非磁性円筒スリーブ（１４ｂ）間には約２００〔Ｖ〕の電位差が生じており、非磁性円筒スリーブ（１４ｂ）の回転により形成される磁気ブラシ（１５）中の、負極性に充分摩擦帯電されたトナーが、現像ローラ（１２）に約４０〜５０〔μｍ〕の厚さに静電的に吸着され、供給される。」（第２頁下右欄第８行〜第１３行）、
「このように構成すれば、キヤリアの粒径が従来に比し小さくされる事から、同一重量にあっては従来よりキヤリアの表面積が大きくされトナーの付着量が増大され、磁気ブラシ（１５）による現像ローラ（１２）へのトナーの供給量も増大され、画像濃度の低下が防止される。そして前の現像パターンが複写画像に白いパターンとなって現われるという事も無くなる。」（第３頁上右欄第４行〜第１１行）、および、
「以上説明したようにこの発明によれば、現像ローラヘのトナー供給量が増大され、画像濃度が向上されることから前の画像が複写画像に白いパターンとなって現われるという事が無く、画質の向上を図れる」（第３頁下左欄第１８行〜下右欄第２行）が図面とともに記載されている。
　そして、以上の記載から、「現像ローラが受給するトナー受給量が充分でないと、前のサイクルでのトナー消費分を補給出来ず、前のサイクルの画像が白いパターンとして生じる」事項、すなわち、所謂メモリ或いはゴースト像発生現象は現像ローラヘのトナー供給量が充分でない場合に生じることが把握できる。
ＩＶ．対比・判断
　本件出願の発明（以下、「前者」という。）と引用例１に記載の発明（以下、「後者」という。）とを比較すると、前者の「潜像担持体」、「現像ローラ」、「当接して配置され」、「当接部」、「相対的に移動する」、「トナー補給ローラ」、「上記現像ローラに過剰に供給されたトナーを現像ローラ上で薄層化する」、「薄層化されたトナーの帯電を均一化する」、「摩擦帯電手段」および「現像装置」は、それぞれ、後者の「潜像担持体１」、「現像ローラ５」、「接触させて配設され」、「接触部」、「反対方向に移動する」、「塗布ローラ８」、「上記現像ローラに供給された過剰な付着トナー分を現像ローラ上で掻き落して薄層に整層化する」、「整層化されたトナーとの摩擦でトナーの帯電量を増加する」、「摩擦帯電部材９」および「現像装置４」に相当するから、両者は、「静電潜像が表面に形成される潜像担持体に対向して配置され、その対向部で該潜像担持体にトナーを供給する現像ローラと、上記現像ローラの周面に当接して配置され、上記現像ローラとの当接部においてその周面が相対的に移動するトナー補給ローラと、上記現像ローラの回転方向において上記トナー補給ローラよりも下流側であって、上記対向部と上記トナー補給ローラとの間に配置され、上記現像ローラに過剰に供給されたトナーを現像ローラ上で薄層化するとともに、薄層化されたトナーの帯電を均一化する摩擦帯電手段と、上記トナー補給ローラに対してトナーを供給する現像剤搬送手段とを具備し、上記トナー補給ローラと上記現像ローラとの当接部よりも上記トナー補給ローラの回転方向上流部位であって、上記トナー補給ローラの周面に上記現像剤搬送手段によりトナーが供給されるトナー供給部位から上記当接部までの間には、上記トナー補給ローラ上のトナー量を規制する部材を具備していない現像装置。」の点で一致し、前者が、「上記現像ローラと上記トナー補給ローラとの間に電圧を印加するための電源であって、上記現像ローラの電圧をＶＢ、上記トナー補給ローラの電圧をＶＲとしたとき、上記トナーが正帯電性である場合にはＶＢ＜ＶＲに、上記トナーが負帯電性である場合にはＶＢ＞ＶＲにそれぞれ設定する電源」を、更に具備し、前記トナー補給ローラが「導電性」であって、かつ前記現像ローラヘのトナーの供給が、「ＶＢとＶＲとの電位差により生じる電気的な力により上記トナー補給ローラから」行われるのに対し、後者にはこのことが開示されていない点で相違している。
　この相違点について検討する。
　まず、前者と引用例２記載の上記発明とを比較すると、前者の「現像ローラ」、「トナー補給ローラ」、「間に電圧を印加する」、「現像ローラの電圧」、「ＶＢ」、「トナー補給ローラの電圧」、「ＶＲ」、「正帯電性」、「負帯電性」、「電源」、「導電性となし」、「電位差」、「電気的な力」及び「供給する」は、各々引用例２記載の上記発明の「現像ローラ（１４）」、「トナー転送ローラ（１６）」、「両ローラに各々印加した電圧の間に差が生じるように両ローラに電圧を印加する」、「現像ローラに印加する現像バイアス電圧」、「ＶＢ」、「トナー転送ローラに印加するトナー転送電圧」、「ＶＴ」、「正極性」、「負極性」、「電源回路（２４）」、「導電体からなる回転ローラの外周面に誘電体層を被着形成した構造となし」、「電圧の差」、「電気的な吸着力」及び「補給する」が相当し、前者の「ＶＢ＜ＶＲ」、「ＶＢ＞ＶＲ」には、引用例２記載の上記発明の「例えばＶＢ＝−１００ボルト、ＶＴ＝−７０ボルト」、「例えばＶＢ＝＋１００ボルト、ＶＴ＝＋７０ボルト」が、それぞれ該当するから、前者の構成要件である「現像ローラとトナー補給ローラとの間に電圧を印加するための電源であって、上記現像ローラの電圧をＶＢ、上記トナー補給ローラの電圧をＶＲとしたとき、上記トナーが正帯電性である場合にはＶＢ＜ＶＲに、上記トナーが負帯電性である場合にはＶＢ＞ＶＲにそれぞれ設定する電源を具備し、前記トナー補給ローラを導電性となし、かつ上記ＶＢとＶＲとの電位差により生じる電気的な力により上記トナー補給ローラから上記現像ローラにトナーを供給する」事項は、上記引用例２により本件出願前に公知である。
　次に、後者に引用例２記載の上記発明を採用することの容易性について検討する。
　後者の現像装置は、塗布ローラ８による摺接力を現像に供されなかったトナー層７２を現像ローラ面から母線方向各部全て掻き落とすことができる大きさにする必要があるため、後者の現像装置は大きな駆動力を要することが明らかであり、現像装置において大きな駆動力を必要とすることが不具合であることは、現像装置の分野の当業者が把握している事項（特開昭５６−１０２８７０号公報第４頁下左欄第１５〜１６行の「大きな駆動力を要するという不具合を生じる。」との記載参照。）である。また、塗布ローラ８の摺接力により、現像に供されなかったトナー層７２を現像ローラ面から、その全てでなく一部を掻き取るものであっても、その掻き取りとともに現像ローラ面の現像に供されなかった現像剤が存在しない部分に現像剤を供給して均一な状態にし、その後再び摩擦帯電部材９により所定厚さのトナー層を形成すれば、高濃度の現像が連続して可能であることも現像装置の分野の当業者が把握している事項（特開昭６０−５３９７５号公報第２頁下右欄第１〜１６行の「この残存現像剤の一部は均一化部材４で回収され、かつ現像剤が存在しない部分には均一化部材４で現像剤１が供給されてほぼ均一な状態に修正された後にホツパー２内に入り、再び第１ブレード３１で所定厚さの薄層の現像剤層が形成される。…（中略）…したがって、高濃度、広面積のベタ黒画像を忠実に再現できる。」という記載参照。）である。
　一方、所謂メモリ或いはゴースト像発生現象は現像ローラヘのトナー補給量が充分でない場合に発生すること、および所謂メモリ或はゴースト像の発生を防止するためにトナー供給量を増大させる必要があることは引用例３にみられるように本件出願前に公知である。
　そして、引用例２に記載の上記発明においてＶＴとＶＢの差を大きくすることによりトナー補給量を多くすることができることが明らかである。
　また、引用例２に記載の上記発明は、トナー補給をＶＴとＶＢの差による静電的吸着手段で行うので、動作が確実であり、且つ補給量の制御が容易である。
　更に、引用例２に記載の上記発明は、現像剤担持部材面に対する現像剤の供給を任意の方向からできるものである。
　以上のことから、後者の現像装置に内在していることが明らかなところの大きな駆動力を要するという不具合を取り除くため、あるいは、トナー補給動作を確実にし、且つ補給量の制御を容易にするため、後者に、後者と同様に現像剤担持部材面に対する現像剤の供給を任意の方向からできることが明らかな引用例２に記載の上記発明を採用し、後者において塗布ローラ８が「現像に供されなかったトナー層７２を一旦現像ローラ５面から母線方向各部全て掻き落とすとともに、袋６の弾性収縮力に基づく現像ローラ５面に対するトナー押圧接触力による塗布付着と合わせて過剰なトナーを現像ローラ５面に付着させ」ているのに代えて、塗布ローラ（トナー転送ローラ）から現像ローラに静電転送方式で過剰にトナーを供給するようにして前者（本件出願の発明）の構成にすることは、現像装置の分野の当業者が引用例３に記載の事項を参照し引用例１及び引用例２に記載の発明に基づいて容易に想到することができたものと認められる。
　従って、後者の現像装置に「現像ローラとトナー補給ローラとの間に電圧を印加するための電源であって、上記現像ローラの電圧をＶＢ、上記トナー補給ローラの電圧をＶＲとしたとき、上記トナーが正帯電性である場合にはＶＢ＜ＶＲに、上記トナーが負帯電性である場合にはＶＢ＞ＶＲにそれぞれ設定する電源」を更に具備し、前記トナー補給ローラを「導電性」となし、かつ「上記ＶＢとＶＲとの電位差により生じる電気的な力により前記トナー補給ローラから」上記現像ローラに過剰にトナーを供給するようにしたことは、上記引用例１〜３の記載に基づいて当業者が容易に想到することができたものと認められる。
　そして、本件出願の発明（前者）の効果は上記引用例１〜３に記載のものの効果の総和以上のものとは認められない。
Ｖ．むすび
　したがって、本件出願の発明は、その出願前に国内において頒布された刊行物である上記引用例１〜３に記載された発明に基づいて、その出願前にその発明の属する技術の分野における通常の知識を有する者が、容易に発明をすることができたものと認められるから、特許法第２９条第２項の規定により特許を受けることができない。
　よって、結論のとおり審決する。